(57)【要約】【課題】単独では時刻を手動で設定しなければならない電子機器の自動時刻設定を可能とする自動時刻設定システムを提供する。【解決手段】デジタル放送信号に含まれる時刻情報に基づき自動で時刻設定を行うデジタルテレビ１００からＨＤＭＩ−ＣＥＣ  Ｌｉｎｅを介してデジタルムービーカメラ２００は時刻情報を取得して時刻設定を行う。【選択図】図１
2010002189.tif 000002
【特許請求の範囲】
【請求項１】
時刻を計時する時計部を有し、外部から取得された時刻情報に基づき前記時計部の時刻が設定される機器において、前記時計部が計時する時刻の情報を有線を介して外部機器に通知する通知部を備えたことを特徴とする電子機器。
【請求項２】
前記有線は、ＨＤＭＩ−ＣＥＣ  Ｌｉｎｅであることを特徴とする請求項１に記載の電子機器。
【請求項３】
前記外部機器が情報再生動作を開始するとき、前記外部機器が表示部に時刻情報設定画面を表示したとき、前記外部機器がスタンバイ状態に移行するとき、前記時計部の時刻が設定されたときの少なくともいずれかのときに前記通知部は通知を行うことを特徴とする請求項１または請求項２に記載の電子機器。
【請求項４】
前記通知部は、前記時計部が分の切替りを計時したときに通知を行うことを特徴とする請求項１〜請求項３のいずれかに記載の電子機器。
【請求項５】
時刻を計時する第一の時計部と、
時刻を計時する第二の時計部を有し外部から取得された時刻情報に基づき前記第二の時計部の時刻が設定される外部機器から、前記第二の時計部が計時する時刻の情報を有線を介して取得する取得部と、を備え、
前記取得部が取得した前記情報に基づき前記第一の時計部の時刻が設定されることを特徴とする電子機器。
【請求項６】
前記有線は、ＨＤＭＩ−ＣＥＣ  Ｌｉｎｅであることを特徴とする請求項５に記載の電子機器。
【請求項７】
当該機器が情報再生動作を開始するとき、当該機器が表示部に時刻情報設定画面を表示したとき、当該機器がスタンバイ状態に移行するとき、前記第二の時計部の時刻が設定されたときの少なくともいずれかのときに前記取得部は取得を行うことを特徴とする請求項５または請求項６に記載の電子機器。
【請求項８】
前記取得部は、前記第二の時計部が分の切替りを計時したときに取得を行うことを特徴とする請求項５〜請求項７のいずれかに記載の電子機器。
【発明の詳細な説明】
【技術分野】
【０００１】
本発明は、電子機器の自動時刻設定に関する。
【背景技術】
【０００２】
現在、デジタル家電が普及してきているが、デジタル家電の中には、デジタルテレビ等、デジタル放送波を受信することで時刻情報を自動的に取得できる機器（このような機器としては例えば特許文献１を参照）と、デジタルムービーカメラ等、時刻情報を自動的に取得できない機器がある。
【特許文献１】特開２００７−２７８５５号公報
【発明の開示】
【発明が解決しようとする課題】
【０００３】
自動で時刻情報が取得できない機器の場合、機器購入時の他、電池交換やソフトウェアのアップデートのタイミング等でユーザが手動で時刻設定を行わなければならず、また、一度設定しても、機器によっては時刻情報のずれが月差数秒に及ぶ場合もあり、時刻情報のずれが大きくなったとき、再度時刻を設定しなおす必要があった。また、サマータイム制度が今後もし導入された場合、時刻設定を頻繁に設定しなおさなければならなくなると予想される。
【０００４】
そこで、本発明は、単独では時刻を手動で設定しなければならない電子機器の自動時刻設定を可能とする自動時刻設定システムを提供することを目的とする。
【課題を解決するための手段】
【０００５】
上記目的を達成するために、本発明の電子機器は、時刻を計時する時計部を有し、外部から取得された時刻情報に基づき前記時計部の時刻が設定される機器において、前記時計部が計時する時刻の情報を有線を介して外部機器に通知する通知部を備えた構成としている。当該電子機器は、時刻の情報を提供する機器とその時刻の情報を受け取る機器とを含む自動時刻設定システムにおいて、時刻の情報を提供する機器として用いられる。
【０００６】
このような構成によれば、後述する時刻の情報を受け取る機器として用いられる本発明の電子機器と協働して自動時刻設定システムを構築することができるので、単独では時刻を手動で設定しなければならない電子機器の自動時刻設定が可能となる。
【０００７】
また、本発明の電子機器は上記構成において、前記有線は例えば、ＨＤＭＩ−ＣＥＣ  Ｌｉｎｅとすればよい。
【０００８】
また、本発明の電子機器は上記構成において、前記外部機器が情報再生動作を開始するとき、前記外部機器が表示部に時刻情報設定画面を表示したとき、前記外部機器がスタンバイ状態に移行するとき、前記時計部の時刻が設定されたときの少なくともいずれかのときに前記通知部は通知を行うようにしてもよい。
【０００９】
また、本発明の電子機器は上記構成において、前記通知部は、前記時計部が分の切替りを計時したときに通知を行うようにしてもよい。これにより、通知部が通知する情報に秒数を含めなくても正確な時刻を外部機器に設定できる。
【００１０】
また、上記目的を達成するために本発明の電子機器は、時刻を計時する第一の時計部と、時刻を計時する第二の時計部を有し外部から取得された時刻情報に基づき前記第二の時計部の時刻が設定される外部機器から、前記第二の時計部が計時する時刻の情報を有線を介して取得する取得部と、を備え、前記取得部が取得した前記情報に基づき前記第一の時計部の時刻が設定される構成としている。当該電子機器は、時刻の情報を提供する機器とその時刻の情報を受け取る機器とを含む自動時刻設定システムにおいて、時刻の情報を受け取る機器として用いられる。
【００１１】
このような構成によれば、上述した時刻の情報を提供する機器として用いられる本発明の電子機器と協働して自動時刻設定システムを構築することができるので、単独では時刻を手動で設定しなければならない電子機器の自動時刻設定が可能となる。
【００１２】
また、本発明の電子機器は上記構成において、前記有線は例えば、ＨＤＭＩ−ＣＥＣ  Ｌｉｎｅとすればよい。
【００１３】
また、本発明の電子機器は上記構成において、当該機器が情報再生動作を開始するとき、当該機器が表示部に時刻情報設定画面を表示したとき、当該機器がスタンバイ状態に移行するとき、前記第二の時計部の時刻が設定されたときの少なくともいずれかのときに前記取得部は取得を行うようにしてもよい。
【００１４】
また、本発明の電子機器は上記構成において、前記第二の時計部が分の切替りを計時したときに取得を行うようにしてもよい。これにより、取得部が取得する情報に秒数を含めなくても正確な時刻を機器に設定できる。
【発明の効果】
【００１５】
本発明によると、単独では時刻を手動で設定しなければならない電子機器の自動時刻設定が可能となる。
【発明を実施するための最良の形態】
【００１６】
以下、本発明に係る実施形態について図面を参照して説明する。
【００１７】
図１に、本発明に係る自動時刻設定システムの全体概略図を示す。本発明に係る自動時刻設定システムは、デジタルテレビ１００と、デジタルムービーカメラ２００とから構成される。デジタルテレビ１００は、アンテナ１が受信するデジタル放送波に含まれる時刻情報を自動的に取得し、時刻を自動設定できる。デジタルムービーカメラ２００は、単独では時刻情報を自動的に取得できず、手動による時刻設定が必要である。そこで、デジタルテレビ１００とデジタルムービーカメラ２００とをＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブルで接続し、双方向通信が可能なＨＤＭＩ−ＣＥＣ（Ｃｏｎｓｕｍｅｒ  Ｅｌｅｃｔｒｏｎｉｃｓ  Ｃｏｎｔｒｏｌ）  Ｌｉｎｅを介してデジタルテレビ１００側からデジタルムービーカメラ２００側へ時刻情報を通知することで、デジタルムービーカメラ２００での時刻自動設定を実現している。
【００１８】
図２に、本発明に係るデジタルテレビの概略構成図を示す。本発明に係るデジタルテレビ１００は、チューナ２と、ＨＤＭＩ入出力部３と、ＡＶ入力部４と、ＤＥＭＵＸ（デマルチプレクサ）５と、ＡＶデコーダ６と、リモコン受光部８と、スイッチ９と、映像処理部１０と、ＯＳＤ／スケーラ１１と、映像出力部１２と、音声処理部１３と、音声出力部１４と、スピーカ１５と、ＣＰＵ１６と、時計部１７と、ＣＰＵ１８と、メモリ１９と、表示部２０と、ホットプラグ制御部２１とを備える。
【００１９】
アンテナ１は、屋外において配置されており、デジタル放送波を受信し、高周波デジタル変調信号をチューナ２に出力する。
【００２０】
チューナ２は、高周波デジタル変調信号から特定周波数の信号を取り出す。また、チューナ２は、選択されたデジタル変調信号を復調してトランスポートストリームをＤＥＭＵＸ５に出力する。
【００２１】
ＤＥＭＵＸ５は、トランスポートストリームを、ＭＰＥＧ２（Ｍｏｖｉｎｇ Ｐｉｃｔｕｒｅ Ｅｘｐｅｒｔｓ Ｇｒｏｕｐ２）のビデオストリーム、オーディオストリーム、およびＰＳＩ／ＳＩ（Ｐｒｏｇｒａｍ Ｓｐｅｃｉｆｉｃ Ｉｎｆｏｒｍａｔｉｏｎ／Ｓｅｒｖｉｃｅ Ｉｎｆｏｒｍａｔｉｏｎ）等に分離する。
【００２２】
ＡＶデコーダ６はビデオストリームに対してデコードを行うビデオデコーダ、オーディオストリームに対してデコードを行うオーディオデコーダを備え、デコード後の映像音声情報をスイッチ９に出力する。
【００２３】
ＨＤＭＩ入出力部３は、図示しない３つのＨＤＭＩ端子を有しており、ＨＤＭＩ端子にはＨＤＭＩケーブルを接続可能である。そして、外部機器からＨＤＭＩケーブルが有する映像音声信号ラインを介してＨＤＭＩ入出力部３に入力された映像音声情報はスイッチ９に入力される。また、外部機器からＨＤＭＩケーブルが有するＨＤＭＩ−ＣＥＣ  Ｌｉｎｅを介してＨＤＭＩ入出力部３に入力されたＣＥＣコマンドはＣＰＵ１６に入力される。また、ＣＰＵ１６からＨＤＭＩ入出力部３へ出力されたＣＥＣコマンドはＨＤＭＩ−ＣＥＣ  Ｌｉｎｅを介して外部機器に入力される。また、外部機器からＨＤＭＩケーブルが有するＤＤＣ５Ｖライン、ＨＤＭＩ入出力部３を介して５Ｖ電源がホットプラグ制御部２１に供給される。また、ホットプラグ制御部２１は、ＨＤＭＩ入出力部３に制御信号を出力することでホットプラグラインのレベル（Ｌｏｗ／Ｈｉｇｈ）を制御する。
【００２４】
また、ＡＶ入力部４は図示しないＳ端子、Ｄ端子を有し、外部機器からＳ端子ケーブルまたはＤ端子ケーブルを介してＡＶ入力部４に入力された映像音声情報はスイッチ９へ出力される。
【００２５】
スイッチ９は、ＡＶデコーダ６、ＨＤＭＩ入出力部３、ＡＶ入力部４の各映像音声入力を切替えるスイッチである。映像処理部１０は、スイッチ９を介して入力される映像情報に対してデジタル映像処理を行う。ＯＳＤ／スケーラ１１は、ＣＰＵ１８から指示された文字情報や色情報に基づく映像データを生成したり、放送受信映像の縮小処理を行う回路である。このＯＳＤ／スケーラ１１により、番組情報に基づくＥＰＧ（Ｅｌｅｃｔｒｏｎｉｃ Ｐｒｏｇｒａｍ Ｇｕｉｄｅ）表示、データ放送表示、メニュー画面表示などが行える。映像出力部１２は、ＯＤＳ／スケーラ１１から入力される映像情報を表示部２０の入力信号形式に変換する。そして、表示部２０は、映像出力部１２から入力される映像信号に基づき映像を表示する。
【００２６】
音声処理部１３は、スイッチ９を介して音声情報を受信し、Ｄ／Ａ変換によるアナログ音声信号を音声出力部１４に出力する。音声出力部１４は、音声処理部１３から入力された音声信号を増幅等しスピーカ１５に出力する。そして、スピーカ１５は、音声出力部１４から入力された音声信号に基づき音声を発する。
【００２７】
リモコン送信機７は、デジタルテレビ１００に指令を送出するための送信機である。このリモコン送信機７に設けられたキーが操作されると、そのキーに対応したリモコン信号がリモコン送信機７の発光部から送出される。リモコン受光器８は、リモコン信号を受光し、これを電気信号に変換してＣＰＵ１６に与える。
【００２８】
ＣＰＵ１６は、リモコン送信機７からのリモコン信号や図示しない操作部のキー操作による信号に対する処理、チューナ２などに対する制御を主に行う。そして、ＣＰＵ１６は、リモコン送信機７による電源ＯＦＦが行われたときでも、電力供給を受けて動作しており、リモコン信号を監視する等の処理を行う。一方、ＣＰＵ１８は、ＯＳＤ／スケーラ１１、映像処理部１０、表示部２０などに対する制御を主に行う。ＣＰＵ１６とＣＰＵ１８とは、相互に通信ができる仕様となっており、ＣＰＵ１６の制御により、ＣＰＵ１８や映像・音声処理部２２の各ブロックを停止／起動することが可能となっている。メモリ１９には、制御プログラムや各種データが格納される。
【００２９】
また、時計部１７は、時刻を計時し現在時刻情報をＣＰＵ１６に提供したり、ＣＰＵ１６から提供される時刻情報に基づき時刻設定を行う。
【００３０】
図３に、本発明に係るデジタルムービーカメラ２００の概略構成図を示す。本発明に係るデジタルムービーカメラ２００は、カメラ部３０と、マイク３１と、スピーカ３２と、画像音声処理部３３と、制御部３４と、外部メモリインタフェース３５と、操作部３６と、表示部３７と、ＨＤＭＩ入出力部３８と、時計部３９とを備える。
【００３１】
動画撮影時は、カメラ部３０で撮影された映像情報は画像音声処理部３３で圧縮処理され、外部メモリインタフェース３５を介して外部メモリ４０に記録される。また、音声録音時は、マイク３１より入力された音声情報が画像音声処理部３３で圧縮処理され外部メモリ４０に記録される。
【００３２】
動画再生時は、外部メモリ４０から読み出された映像情報が画像音声処理部３３で伸長処理され、表示部３７に動画が表示される。また、音声再生時は、外部メモリ４０から読み出された音声情報が画像音声処理部３３で伸長処理され、スピーカ３２から音声が再生される。
【００３３】
また、デジタルムービーカメラ２００とＨＤＭＩケーブルで接続された外部機器において動画再生・音声再生をする場合は、外部メモリ４０から読み出された映像音声情報は画像音声処理部３３で伸長処理され、ＨＤＭＩ入出力部３８から外部機器へＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）形式で伝送される。また、制御部３４は、ＨＤＭＩ入出力部３８を介して外部機器とのＣＥＣ通信処理を行う。
【００３４】
時計部３９は、時刻を計時し現在時刻情報を制御部３４に提供したり、制御部３４から提供される時刻情報に基づき時刻設定を行う。操作部３６は、デジタルムービーカメラ２００に指示を与えるための各種キーを有する。
【００３５】
次に、本発明に係る自動時刻設定動作について説明する。ここで、デジタルテレビ１００とデジタルムービーカメラ２００とはＨＤＭＩケーブルで接続されており、デジタルテレビ１００においてはＤＥＭＵＸ５によりトランスポートストリームから分離されるＰＳＩ／ＳＩに含まれる時刻情報をＣＰＵ１６が定期的に時計部１７へ提供し、時計部１７はこの時刻情報に基づき時刻設定を行うものとする。
【００３６】
（デジタルムービーカメラの再生開始時）
図４に、デジタルムービーカメラの再生開始時におけるＣＥＣ通信シーケンスを示す。まず、デジタルムービーカメラ２００の操作部３６において再生開始操作がされると、ステップＳ４０で、制御部３４は、ＨＤＭＩ入出力部３８、ＨＤＭＩ−ＣＥＣ  Ｌｉｎｅを介してデジタルテレビ１００に、再生開始を伝える再生開始コマンド（Ｉｍａｇｅ  Ｖｉｅｗ  Ｏｎ）を送信する。すると、デジタルテレビ１００のＣＰＵ１６が、ＨＤＭＩ入出力部３を介して再生開始コマンドを受信する。
【００３７】
そして、ステップＳ４１で、デジタルムービーカメラ２００の制御部３４は、ＨＤＭＩ入出力部３８、ＨＤＭＩ−ＣＥＣ  Ｌｉｎｅを介してデジタルテレビ１００に入力切替コマンド（Ａｃｔｉｖｅ  Ｓｏｕｒｃｅ）を送信する。すると、デジタルテレビ１００のＣＰＵ１６が、ＨＤＭＩ入出力部３を介して入力切替コマンドを受信し、スイッチ９をＨＤＭＩ入出力部３からの映像音声入力に切替え、デジタルムービーカメラ２００からＨＤＭＩ入出力部３を介してスイッチ９に再生された映像音声情報が入力され、表示部２０に映像が表示され、スピーカ１５から音声が再生される。
【００３８】
そして、ステップＳ４２で、デジタルムービーカメラ２００の制御部３４は、ＨＤＭＩ入出力部３８、ＨＤＭＩ−ＣＥＣ  Ｌｉｎｅを介してデジタルテレビ１００に、ベンダーＩＤを伝えるためのベンダーＩＤ通知コマンド（Ｄｅｖｉｃｅ  Ｖｅｎｄｏｒ  ＩＤ）を送信する。そして、デジタルテレビ１００のＣＰＵ１６が、ＨＤＭＩ入出力部３を介してベンダーＩＤ通知コマンドを受信し、受信したベンダーＩＤ通知コマンドが所定のベンダーを表していることを確認すると、ステップＳ４３で、ＣＰＵ１６は、ＨＤＭＩ入出力部３、ＨＤＭＩ−ＣＥＣ  Ｌｉｎｅを介してデジタルムービーカメラ２００にベンダーＩＤ通知コマンドを送信する。すると、デジタルムービーカメラ２００の制御部３４は、ＨＤＭＩ入出力部３８を介してベンダーＩＤ通知コマンドを受信し、受信したベンダーＩＤ通知コマンドが所定のベンダーを表していることを確認する。
【００３９】
そして、ステップＳ４４で、デジタルテレビ１００のＣＰＵ１６は、時計部１７が計時する現在時刻の情報を含む時刻情報通知コマンド（Ｖｅｎｄｏｒ  Ｃｏｍｍａｎｄ）をＨＤＭＩ入出力部３、ＨＤＭＩ−ＣＥＣ  Ｌｉｎｅを介してデジタルムービーカメラ２００に送信する。
【００４０】
ここで、図８（ａ）に、時刻情報通知コマンドのフォーマットを示す。先頭に宛先のアドレス情報が並び、その次にコマンド種類を表す情報（ＯＰ＿Ｃｏｄｅ）が並ぶ。この情報は例えば０ｘ８９とし、Ｖｅｎｄｏｒ  Ｃｏｍｍａｎｄを表す。その次に、Ｖｅｎｄｏｒ  Ｃｏｍｍａｎｄのうち時刻情報通知コマンドであることを表す情報（例えば、０ｘ１０）が並ぶ。さらにその次に、現在時刻の年月日時分を表す各情報が並ぶ。
【００４１】
上記のように時刻情報通知コマンドに含まれる現在時刻情報には秒数の情報がないため、時計部１７が分の切替りを計時したときにＣＰＵ１６は時刻情報通知コマンドをデジタルムービーカメラ２００に送信する。すると、デジタルムービーカメラ２００の制御部３４は、ＨＤＭＩ入出力部３８を介して時刻情報通知コマンドを受信し、受信した時刻情報通知コマンドに含まれる現在時刻情報を時計部３９に提供し、時計部３９は提供された現在時刻情報に基づき時刻設定を行う。このとき、時刻の秒数は０秒に設定される。
【００４２】
なお、上記のように分の切替りのときに時刻情報通知コマンドを送信した後、さらに次の分の切替りのときに時刻情報通知コマンドを送信してデジタルムービーカメラ２００の時刻設定を再度行ってもよい。また、時刻情報通知コマンドに含まれる現在時刻情報に秒数の情報も加える場合は、上記のように分の切替りのときにではなく、すぐに時刻情報通知コマンドを送信するようにすればよい。これらは以下の実施形態においても同様である。
【００４３】
（デジタルムービーカメラの時刻設定画面表示時）
図５に、デジタルムービーカメラの時刻設定画面表示時におけるＣＥＣ通信シーケンスを示す。まず、デジタルムービーカメラ２００の操作部３６において時刻設定画面表示操作がされると、制御部３４は、表示部３７に時刻設定画面を表示させると共に、ステップＳ５０で、ＨＤＭＩ入出力部３８、ＨＤＭＩ−ＣＥＣ  Ｌｉｎｅを介してデジタルテレビ１００にベンダーＩＤ通知コマンド（Ｄｅｖｉｃｅ  Ｖｅｎｄｏｒ  ＩＤ）を送信する。
【００４４】
そして、デジタルテレビ１００のＣＰＵ１６が、ＨＤＭＩ入出力部３を介してベンダーＩＤ通知コマンドを受信し、受信したベンダーＩＤ通知コマンドが所定のベンダーを表していることを確認すると、ステップＳ５１で、ＣＰＵ１６は、ＨＤＭＩ入出力部３、ＨＤＭＩ−ＣＥＣ  Ｌｉｎｅを介してデジタルムービーカメラ２００にベンダーＩＤ通知コマンドを送信する。そして、デジタルムービーカメラ２００の制御部３４が、ＨＤＭＩ入出力部３８を介してベンダーＩＤ通知コマンドを受信し、受信したベンダーＩＤ通知コマンドが所定のベンダーを表していることを確認すると、ステップＳ５２で、制御部３４は、ＨＤＭＩ入出力部３８、ＨＤＭＩ−ＣＥＣ  Ｌｉｎｅを介してデジタルテレビ１００に、時刻情報を問合せるための時刻情報問合せコマンド（Ｖｅｎｄｏｒ  Ｃｏｍｍａｎｄ）を送信する。
【００４５】
ここで、図８（ｂ）に、時刻情報問合せコマンドのフォーマットを示す。先頭に宛先のアドレス情報が並び、その次にコマンド種類を表す情報（ＯＰ＿Ｃｏｄｅ）が並ぶ。この情報は例えば０ｘ８９とし、Ｖｅｎｄｏｒ  Ｃｏｍｍａｎｄを表す。その次に、Ｖｅｎｄｏｒ  Ｃｏｍｍａｎｄのうち時刻情報問合せコマンドであることを表す情報（例えば、０ｘ１１）が並ぶ。
【００４６】
そして、デジタルテレビ１００のＣＰＵ１６が、ＨＤＭＩ入出力部３を介して時刻情報問合せコマンドを受信すると、ステップＳ５３に進む。ステップＳ５３で、ＣＰＵ１６は、時計部１７が分の切替りを計時したときに、時計部１７が計時する現在時刻の情報を含む時刻情報通知コマンド（Ｖｅｎｄｏｒ  Ｃｏｍｍａｎｄ）をＨＤＭＩ入出力部３、ＨＤＭＩ−ＣＥＣ  Ｌｉｎｅを介してデジタルムービーカメラ２００に送信する。すると、デジタルムービーカメラ２００の制御部３４は、ＨＤＭＩ入出力部３８を介して時刻情報通知コマンドを受信し、受信した時刻情報通知コマンドに含まれる現在時刻情報を時計部３９に提供し、時計部３９は提供された現在時刻情報に基づき時刻設定を行う。このとき、時刻の秒数は０秒に設定される。
【００４７】
（デジタルムービーカメラのスタンバイ状態移行時）
図６に、デジタルムービーカメラのスタンバイ状態移行時におけるＣＥＣ通信シーケンスを示す。ここで、スタンバイ状態とは、必要な回路のみに通電しておく省電力状態をいう。まず、デジタルテレビ１００側のリモコン送信機７においてデジタルムービーカメラ２００をスタンバイ状態に移行させる操作がされると、ステップＳ６０で、ＣＰＵ１６は、ＨＤＭＩ入出力部３、ＨＤＭＩ−ＣＥＣ  Ｌｉｎｅを介してデジタルムービーカメラ２００にベンダーＩＤ通知コマンド（Ｄｅｖｉｃｅ  Ｖｅｎｄｏｒ  ＩＤ）を送信する。
【００４８】
そして、デジタルムービーカメラ２００の制御部３４が、ＨＤＭＩ入出力部３８を介してベンダーＩＤ通知コマンドを受信し、受信したベンダーＩＤ通知コマンドが所定のベンダーを表していることを確認すると、ステップＳ６１で、制御部３４は、ＨＤＭＩ入出力部３８、ＨＤＭＩ−ＣＥＣ  Ｌｉｎｅを介してデジタルテレビ１００にベンダーＩＤ通知コマンドを送信する。
【００４９】
そして、デジタルテレビ１００のＣＰＵ１６が、ＨＤＭＩ入出力部３を介してベンダーＩＤ通知コマンドを受信し、受信したベンダーＩＤ通知コマンドが所定のベンダーを表していることを確認すると、ステップＳ６２に進む。ステップＳ６２で、ＣＰＵ１６は、時計部１７が分の切替りを計時したときに、時計部１７が計時する現在時刻の情報を含む時刻情報通知コマンド（Ｖｅｎｄｏｒ  Ｃｏｍｍａｎｄ）をＨＤＭＩ入出力部３、ＨＤＭＩ−ＣＥＣ  Ｌｉｎｅを介してデジタルムービーカメラ２００に送信する。すると、デジタルムービーカメラ２００の制御部３４は、ＨＤＭＩ入出力部３８を介して時刻情報通知コマンドを受信し、受信した時刻情報通知コマンドに含まれる現在時刻情報を時計部３９に提供し、時計部３９は提供された現在時刻情報に基づき時刻設定を行う。このとき、時刻の秒数は０秒に設定される。
【００５０】
そして、ステップＳ６３で、デジタルテレビ１００のＣＰＵ１６は、ＨＤＭＩ入出力部３、ＨＤＭＩ−ＣＥＣ  Ｌｉｎｅを介してデジタルムービーカメラ２００にスタンバイ通知コマンド（Ｓｔａｎｄｂｙ）を送信する。すると、デジタルムービーカメラ２００の制御部３４は、ＨＤＭＩ入出力部３８を介してスタンバイ通知コマンドを受信し、デジタルムービーカメラ２００をスタンバイ状態へ移行させる。
【００５１】
（デジタルテレビの自動時刻設定時）
図７に、デジタルテレビの自動時刻設定時におけるＣＥＣ通信シーケンスを示す。ＤＥＭＵＸ５によりトランスポートストリームから分離されるＰＳＩ／ＳＩに含まれる時刻情報をＣＰＵ１６が時計部１７に時刻設定のため提供する際、ステップＳ７０で、ＣＰＵ１６は、ＨＤＭＩ入出力部３、ＨＤＭＩ−ＣＥＣ  Ｌｉｎｅを介してデジタルムービーカメラ２００にベンダーＩＤ通知コマンド（Ｄｅｖｉｃｅ  Ｖｅｎｄｏｒ  ＩＤ）を送信する。
【００５２】
そして、デジタルムービーカメラ２００の制御部３４が、ＨＤＭＩ入出力部３８を介してベンダーＩＤ通知コマンドを受信し、受信したベンダーＩＤ通知コマンドが所定のベンダーを表していることを確認すると、ステップＳ７１で、制御部３４は、ＨＤＭＩ入出力部３８、ＨＤＭＩ−ＣＥＣ  Ｌｉｎｅを介してデジタルテレビ１００にベンダーＩＤ通知コマンドを送信する。
【００５３】
そして、デジタルテレビ１００のＣＰＵ１６が、ＨＤＭＩ入出力部３を介してベンダーＩＤ通知コマンドを受信し、受信したベンダーＩＤ通知コマンドが所定のベンダーを表していることを確認すると、ステップＳ７２に進む。ステップＳ７２で、ＣＰＵ１６は、時計部１７が分の切替りを計時したときに、時計部１７が計時する現在時刻の情報を含む時刻情報通知コマンド（Ｖｅｎｄｏｒ  Ｃｏｍｍａｎｄ）をＨＤＭＩ入出力部３、ＨＤＭＩ−ＣＥＣ  Ｌｉｎｅを介してデジタルムービーカメラ２００に送信する。すると、デジタルムービーカメラ２００の制御部３４は、ＨＤＭＩ入出力部３８を介して時刻情報通知コマンドを受信し、受信した時刻情報通知コマンドに含まれる現在時刻情報を時計部３９に提供し、時計部３９は提供された現在時刻情報に基づき時刻設定を行う。このとき、時刻の秒数は０秒に設定される。
【００５４】
以上のように、本発明によれば、単独では手動による時刻設定が必要なデジタルムービーカメラ２００でも、ＨＤＭＩケーブルで接続されたデジタルテレビ１００から時刻情報を取得して自動的に時刻設定を行うことができ、時刻自動設定機能を持つデジタルテレビ１００と同等の機能を持たせることができる。
【００５５】
なお、以上で説明した実施形態はあくまで一例であり、本発明の趣旨を逸脱しない範囲でのあらゆる変更が可能である。例えば、デジタルテレビ１００と、デジタルムービーカメラ２００が載置された電源クレードルとがＨＤＭＩケーブルで接続され、デジタルムービーカメラ２００がＨＤＭＩケーブル、電源クレードルを介してデジタルテレビ１００から時刻情報を取得するようにしてもよい。
【００５６】
また、例えば、サーバからインターネット経由で時刻情報を取得して自動的に時刻設定を行うようなＰＣと、デジタルムービーカメラ等の機器をＵＳＢ（Ｕｎｉｖｅｒｓａｌ  Ｓｅｒｉａｌ  Ｂｕｓ）接続し、本機器がＰＣから時刻情報を取得し自動的に時刻設定を行うような実施形態でもよい。
【図面の簡単な説明】
【００５７】
【図１】は、本発明に係る自動時刻設定システムの全体概略図である。
【図２】は、本発明に係るデジタルテレビの概略構成図である。
【図３】は、本発明に係るデジタルムービーカメラの概略構成図である。
【図４】は、デジタルムービーカメラの再生開始時におけるＣＥＣ通信シーケンスを示す。
【図５】は、デジタルムービーカメラの時刻設定画面表示時におけるＣＥＣ通信シーケンスを示す。
【図６】は、デジタルムービーカメラのスタンバイ状態移行時におけるＣＥＣ通信シーケンスを示す。
【図７】は、デジタルテレビの自動時刻設定時におけるＣＥＣ通信シーケンスを示す。
【図８】は、（ａ）時刻情報通知コマンドのフォーマット、（ｂ）時刻情報問合せコマンドのフォーマットを示す。
【符号の説明】
【００５８】
１００    デジタルテレビ
２００    デジタルムービーカメラ
１    アンテナ
２    チューナ
３    ＨＤＭＩ入出力部
４    ＡＶ入力部
５    ＤＥＭＵＸ（デマルチプレクサ）
６    ＡＶデコーダ
７    リモコン送信機
８    リモコン受光部
９    スイッチ
１０    映像処理部
１１    ＯＳＤ／スケーラ
１２    映像出力部
１３    音声処理部
１４    音声出力部
１５    スピーカ
１６    ＣＰＵ
１７    時計部
１８    ＣＰＵ
１９    メモリ
２０    表示部
２１    ホットプラグ制御部
２２    映像・音声処理部
３０    カメラ部
３１    マイク
３２    スピーカ
３３    画像音声処理部
３４    制御部
３５    外部メモリインタフェース
３６    操作部
３７    表示部
３８    ＨＤＭＩ入出力部
３９    時計部
４０    外部メモリ
【図１】
2010002189.tif 000003
【図２】
2010002189.tif 000004
【図３】
2010002189.tif 000005
【図４】
2010002189.tif 000006
【図５】
2010002189.tif 000007
【図６】
2010002189.tif 000008
【図７】
2010002189.tif 000009
【図８】
2010002189.tif 000010